(57)【特許請求の範囲】
【請求項１】
記録媒体から映像および該映像の再生をガイドするナビゲーション情報を読み出す読出手段と、
該読出手段に読出指令を与える指令制御手段と、
前記映像が再生中か再生終了かを示す状態情報を前記指令制御手段に与える映像再生制御手段と、
前記指令制御手段からの切換制御信号に応じて前記読取情報を前記指令制御手段または前記映像再生制御手段のいずれかに出力する切換手段と、
前記映像を再生するための第１の操作手順を操作に応じて入力する操作手段と、
前記映像を再生するための第２の操作手順を記憶している記憶手段と、
前記操作手段及び前記記憶手段を管理し、前記操作手段から前記第１の操作手順が入力されたときは当該第１の操作手順を出力し、前記操作手段から前記第１の操作手順が入力されない場合には前記記憶手段に記憶されている前記第２の操作手順を読み出して出力する管理制御手段とを備え、
前記指令制御手段は、前記ナビゲーション情報より抽出した再生制御情報に基づいて前記映像再生制御手段に前記映像が出力するように前記切換制御信号を前記切換手段に与え、前記映像再生制御手段は前記映像を再生し、前記状態情報が再生終了を示せば、前記指令制御手段は前記管理制御手段から出力された前記第１の操作手順又は前記第２の操作手順に応じた読出指令を前記読出手段に与える映像再生装置。
【請求項２】
記憶手段は、あらかじめ第２の操作手順をデフォルトの操作手順として記憶していることを特徴とする請求項１記載の映像再生装置。
【請求項３】
記憶手段は、設定操作により第２の操作手順を記憶することを特徴とする請求項１又は２記載の映像再生装置。
【請求項４】
指令制御手段は、管理制御手段から出力された第２の操作手順に応じて記憶媒体の複数種類の映像をランダムな順序で再生する読出指令を読出手段に与えることを特徴とする請求項１乃至３のいずれか１項に記載の映像再生装置。
【請求項５】
指令制御手段は、管理制御手段から出力された第２の操作手順に応じて記憶媒体の複数種類の映像の中から特定の映像を再生する読出指令を読出手段に与えることを特徴とする請求項１乃至３のいずれか１項に記載の映像再生装置。
【請求項６】
管理制御手段は、映像の再生が静止状態の場合に第１の操作手順及び第２の操作手順を有効として出力することを特徴とする請求項１乃至５のいずれか１項に記載の映像再生装置。
【請求項７】
管理制御手段は、映像の再生中においては第１の操作手順のみを有効として出力することを特徴とする請求項６に記載の映像再生装置。
【請求項８】
記録媒体から映像および該映像の再生をガイドするナビゲーション情報を読み出す読出手段と、
該読出手段に読出指令を与える指令制御手段と、
前記映像が再生中か再生終了かを示す状態情報を前記指令制御手段に与える映像再生制御手段と、
前記指令制御手段からの切換制御信号に応じて前記読取情報を前記指令制御手段または前記映像再生制御手段のいずれかに出力する切換手段と、
前記映像を再生するための第１の操作手順を操作に応じて入力する操作手段と、
前記映像を再生するためのデフォルトの操作手順を記憶しているとともに、設定操作に応じて第２の操作手順を記憶可能な記憶手段と、
前記操作手段及び前記記憶手段を管理し、前記操作手段から入力された前記第１の操作手順又は前記記憶手段から読み出した前記第２の操作手順が前記記録媒体に対して有効でない場合には、前記記憶手段に記憶されている前記デフォルトの操作手順を読み出して出力する管理制御手段とを備え、
前記指令制御手段は、前記ナビゲーション情報より抽出した再生制御情報に基づいて前記映像再生制御手段に前記映像が出力するように前記切換制御信号を前記切換手段に与え、前記映像再生制御手段は前記映像を再生し、前記状態情報が再生終了を示せば、前記指令制御手段は前記管理制御手段から出力されたいずれかの操作手順に応じた読出指令を前記読出手段に与える映像再生装置。
【発明の詳細な説明】
【０００１】
【発明の属する技術分野】
この発明は、記録媒体に記録されている映像を再生する映像再生装置に関する。
【０００２】
【従来の技術】
図１１は従来の映像再生装置における光ディスクであるＤＶＤ（デジタル・ビデオ・ディスク）再生の操作手順示す図である。ＤＶＤは直径１２ｃｍの光ディスクであり、ＣＤ（コンパクト・ディスク）の１０倍近い記録容量があり、例えば再生時間が１０分乃至１５分程度の料理のレシピであれば１０種類程度の映像を記録できる。あるいは、４０分程度の短編映画なら約３種類の映画を記録できる。さらに将来は、より短波長の半導体レーザの開発等により記録容量の増大が期待され、長編の映画が複数種類記録できる日も遠くはない。
【０００３】
次に動作について説明する。
映像再生装置に複数種類の映像が記録されている光ディスクを挿入すると、最初にナビゲーション情報を取得して、そのナビゲーション情報に従って、各映像のクレジット映像、すなわち料理のレシピであればインストラクタの名前等の字幕が表示され、映画の場合には、題名、俳優、監督等の字幕が表示される。クレジット映像に続いて、記録されている映像の数に対応して、タイトルメニューのメニュー映像が表示される。
【０００４】
３本の映画が記録されている場合には、図にしめすように、タイトル１、タイトル２、タイトル３が表示される。この場合に、タイトル１の表示が再生候補のデフォルトとして反転表示される。このメニュー映像においてユーザの操作を待つ。ここでユーザによる下向きボタンの選択がなされると、タイトル２の表示が再生候補として反転表示される。そして、ユーザ操作（ボタンの選択及び決定）の待機状態となる。この待機状態において、下向きボタン又は上向きボタンが選択されると、再生候補となる映像のタイトルが切り替わる。この待機状態において決定ボタンが選択されると、メニュー映像の再生候補のタイトル（図ではタイトル２）がさらに点滅等により強調され、そのタイトルの映像の再生が実行される。
【０００５】
【発明が解決しようとする課題】
従来の映像再生装置は以上のように、ユーザのキー操作の介入を得ながら、ナビゲーション情報に従って映像を再生するように構成されているので、メニュー映像を表示した状態では、ユーザの操作がされない限り再生が継続されないという課題があった。例えば、ユーザが料理やその他手でものを作るような作業をしながらレシピの映像や映画を見ている場合に、１つの映像の再生が終了して次の映像を再生したい場合には、作業を中断して手を洗った後に、キー操作をしなければならず煩わしかった。
【０００６】
この発明は上記のような課題を解決するためになされたもので、ユーザの操作がない場合でも、自動的に映像を再生できる映像再生装置を得ることを目的とする。
【０００７】
【課題を解決するための手段】
この発明に係る映像再生装置は、記録媒体から映像および該映像の再生をガイドするナビゲーション情報を読み出す読出手段と、該読出手段に読出指令を与える指令制御手段と、映像が再生中か再生終了かを示す状態情報を指令制御手段に与える映像再生制御手段と、指令制御手段からの切換制御信号に応じて読取情報を指令制御手段または映像再生制御手段のいずれかに出力する切換手段と、映像を再生するための第１の操作手順を操作に応じて入力する操作手段と、映像を再生するための第２の操作手順を記憶している記憶手段と、操作手段及び記憶手段を管理し、操作手段から前記第１の操作手順が入力されたときは当該第１の操作手順を出力し、操作手段から前記第１の操作手順が入力されない場合には記憶手段に記憶されている第２の操作手順を読み出して出力する管理制御手段とを備え、指令制御手段は、ナビゲーション情報より抽出した再生制御情報に基づいて映像再生制御手段に映像が出力するように切換制御信号を切換手段に与え、映像再生制御手段は映像を再生し、状態情報が再生終了を示せば、指令制御手段は管理制御手段から出力された第１の操作手順又は第２の操作手順に応じた読出指令を読出手段に与えるものである。
【０００８】
この発明に係る映像再生装置において、記憶手段は、あらかじめ第２の操作手順をデフォルトの操作手順として記憶しているものである。
【０００９】
この発明に係る映像再生装置において、記憶手段は、設定操作により第２の操作手順を記憶するものである。
【００１０】
この発明に係る映像再生装置において、指令制御手段は、管理制御手段から出力された第２の操作手順に応じて記憶媒体の複数種類の映像をランダムな順序で再生する読出指令を読出手段に与えるものである。
【００１１】
この発明に係る映像再生装置において、指令制御手段は、管理制御手段から出力された第２の操作手順に応じて記憶媒体の複数種類の映像の中から特定の映像を再生する読出指令を読出手段に与えるものである。
【００１２】
この発明に係る映像再生装置において、管理制御手段は、映像の再生が静止状態の場合に第１の操作手順及び第２の操作手順を有効として出力するものである。
【００１３】
この発明に係る映像再生装置において、管理制御手段は、映像の再生中においては第１の操作手順のみを有効として出力するものである。
【００１４】
この発明に係る映像再生装置は、記録媒体から映像および該映像の再生をガイドするナビゲーション情報を読み出す読出手段と、該読出手段に読出指令を与える指令制御手段と、映像が再生中か再生終了かを示す状態情報を指令制御手段に与える映像再生制御手段と、指令制御手段からの切換制御信号に応じて読取情報を指令制御手段または映像再生制御手段のいずれかに出力する切換手段と、映像を再生するための第１の操作手順を操作に応じて入力する操作手段と、映像を再生するためのデフォルトの操作手順を記憶しているとともに、設定操作に応じて第２の操作手順を記憶可能な記憶手段と、操作手段及び記憶手段を管理し、操作手段から入力された第１の操作手順又は記憶手段から読み出した第２の操作手順が記録媒体に対して有効でない場合には、記憶手段に記憶されているデフォルトの操作手順を読み出して出力する管理制御手段とを備え、指令制御手段は、ナビゲーション情報より抽出した再生制御情報に基づいて映像再生制御手段に映像が出力するように切換制御信号を切換手段に与え、映像再生制御手段は映像を再生し、状態情報が再生終了を示せば、指令制御手段は管理制御手段から出力されたいずれかの操作手順に応じた読出指令を読出手段に与えるものである。
【００１５】
【発明の実施の形態】
以下、この発明の実施の一形態を説明する。
実施の形態１.
図１は、この発明の実施の形態１における映像再生装置を用いたシステムの構成を示すブロック図であり、図において、１は映像再生装置、２は光ディスク（記録媒体）、３は読取部（読出手段）、４は切換器、５はナビゲーション制御部（指令制御手段）、６はユーザ操作管理部（管理制御手段）、６ａはメモリ（記憶手段）、７は操作部（操作手段）、８は映像再生制御部、９は表示装置である。
また、図２は映像再生装置１の動作を示すメインルーチンのフローチャート、図３及び図４はそのサブルーチンのフローチャート、図５は映像再生装置１における光ディスク再生の操作手順示す図である。
【００１６】
次に動作について説明する。
映像再生装置１に装着された光ディスク２は、操作部７のスタートキー操作により、図示しないスピンドルモータによって回転駆動されている。この光ディスク２には、再生される映像情報のほかにその記録されている映像情報をどのように再生するかをガイドするナビゲーション情報が記録されている。ナビゲーション制御部５は、読取部３に読出指令ｉを与える。読取部３は、光ディスク２に赤色レーザを照射して、その反射光によって記録情報を読み取り、光電変換処理やその他の信号処理を行って読取情報ａを切換器４に出力する。切換器４は、ナビゲーション制御部５からの切換制御信号ｊに応じて、読取部３から入力される読取情報ａをナビゲーション制御部５側又は映像再生制御部８側に出力する。
【００１７】
最初は、ナビゲーション制御部５側に読取情報ａが出力するような切換制御信号ｊが与えられる。この場合には、読取情報ａの内容はナビゲーション情報であり、切換器４からはそのナビゲーション情報ｂがナビゲーション制御部５に出力される。したがって、図２のフローにおいて、ナビゲーション制御部５はそのナビゲーション情報ｂを取得する（ステップＳＴ１１）。次に、取得したナビゲーション情報ｂから抽出した再生制御情報と、ユーザ操作管理部６からのユーザ操作情報ｅとを分離する（ステップＳＴ１２）。この場合には、再生制御情報が優先される。
【００１８】
ナビゲーション制御部５は、再生制御情報に基づいて、映像再生制御部８側に読取信号ａが出力するような切換制御信号ｊを切換器４に与え、再生制御情報ｆを映像再生制御部８に与える。この場合の読取情報ａの内容は映像情報であり、切換器４からはその映像情報ｃが映像再生制御部８に出力される。したがって、映像再生制御部８は、再生制御情報ｆに従って映像の再生を行い、映像信号を表示装置９に出力する（ステップＳＴ１３）。
【００１９】
すなわち、図５に示すように、光ディスク２が挿入されてスタートボタンが操作されると、クレジット映像を再生して表示装置９に出力した後、タイトルメニューを再生してメニュー映像を表示装置９に出力する。映像再生制御部８は、再生終了か否かを判別し（ステップＳＴ１４）、再生中（映像信号の出力途中）であれば再生中を示す状態情報ｇをナビゲーション制御部５に与え、メニュー映像の映像信号の出力が終了すると、再生終了と判断して、再生終了を示す状態情報ｇをナビゲーション制御部５に与える。
【００２０】
ナビゲーション制御部５は、映像再生制御部８から再生終了を示す状態情報ｇが入力されると、ユーザ操作管理部６に操作手順の要求情報ｄを与える。ユーザ操作管理部６は、この要求情報ｄに応答して操作情報処理を実行する（ステップＳＴ１５）。この操作情報処理を図３に示す。まず、操作部７からの操作入力情報ｈを監視し、ユーザがキー操作を行ったか否かを判別する（ステップＳＴ２１）。キー操作があったときは、それが選択できるキー操作であるか否かを判別する（ステップＳＴ２２）。すなわち有効なキー操作であるかを判別する。選択できるキー操作である場合には、ナビゲーション制御部５に対して指定されたキー操作（第１の操作手順）の発行を行う（ステップＳＴ２３）。そして、図２のフローに戻る。
【００２１】
ステップＳＴ２１においてユーザのキー操作がない場合、又はステップＳＴ２２において選択できるキー操作でなく無効なキー操作である場合には、一定時間が経過したか否かを判別する（ステップＳＴ２４）。一定時間が経過していない場合には、ステップＳＴ２１においてユーザのキー操作の有無を判別する。
【００２２】
この一定時間は、ユーザがキー操作を行うに十分な時間であり、デフォルトとして例えば１０秒程度に設定されている。この一定時間は、ユーザの操作により、０秒から数１０秒程度まで自在に設定することができる。０秒に設定されている場合にはユーザの操作は無視され、スタートキー操作に応じて完全な自動再生システムを構成する。したがって、連続再生のプログラムをメモリ６ａにプリセットすれば、デモンストレーションで複数の映像を連続的に再生する場合には効果がある。
【００２３】
ステップＳＴ２４において一定時間が経過したときは、メモリ６ａの記憶内容を読み出して、自動キー操作が設定されているか否かを判別する（ステップＳＴ２５）。設定がない場合には図２のフローに戻るが、この実施の形態１においては、メモリ６ａに光ディスク２のナビゲーション情報に従って行うという操作手順の自動キー操作がデフォルトとして設定されている。したがって、ナビゲーション制御部５に対して自動キー操作（第２の操作手順）の発行を行う（ステップＳＴ２６）。したがってこの場合には、図４に示すように、光ディスク２のナビゲーション情報によって選択指定されたボタンの番号を選択及び決定する（ステップＳＴ３１）。そして、図２のフローに戻る。
【００２４】
図２のフローにおいて、ナビゲーション制御部５は、ユーザ操作管理部６からキー操作の発行があるか否かを判別し（ステップＳＴ１６）、発行がない場合にはステップＳＴ１５に移行して、ユーザ操作管理部６に操作情報処理を実行させる。ユーザ操作管理部６からキー操作の発行があったとき、すなわち、ユーザによって指定されたキー操作又はメモリ６ａにデフォルトとして設定されている自動キー操作の発行があったときは、そのキー操作に応じた処理を行う（ステップＳＴ１７）。
【００２５】
メモリ６ａに設定されている自動キー操作、すなわち光ディスク２のナビゲーション情報が下向きボタン及び決定ボタンを操作する操作手順に従うという自動キー操作である場合には、図５に示すように、メニュー映像が表示された後、ユーザ操作（ボタンの選択及び決定）の待機状態になり、一定時間が経過してもユーザのキー操作がない場合には、ナビゲーション制御部５は、ユーザ操作管理部６からの自動キー操作の発行に応じて、メニュー映像の再生候補のタイトル２の表示がさらに点滅等により強調され、タイトル２の映像の再生が実行される。すなわち、ユーザによる下向きボタン及び決定ボタンと同等の選択を映像再生装置１が自動で行う。
【００２６】
実際には、光ディスク２のナビゲーション情報は装置側の操作キーを意識している訳ではないが、装置側から見ればナビゲーション情報に再生手順が含まれており、メモリ６ａのデフォルトとしてこの再生手順に従うというプログラムが記憶されているので、間接的にはメモリ６ａに自動キー操作としての操作手順がデフォルトとして記憶されているのと等価である。
【００２７】
以上のように、この実施の形態１によれば、読取部３は、光ディスク２に記録されている映像を読出指令ｉに応じて読み出す。ユーザ操作管理部６は、操作部７及びメモリ６ａを管理し、操作部７からユーザによるキー操作が入力されたときはユーザによって指定されたキー操作の第１の操作手順を出力し、操作部７からユーザによるキー操作が入力されない場合には、メモリ６ａに記憶されているデフォルトの第２の操作手順を読み出して出力する。ナビゲーション制御部５は、ユーザ操作管理部６から出力された第１の操作手順又は第２の操作手順に応じた読出指令ｉを読取部３に与える。したがって、ユーザの操作がない場合でも、自動的に映像を再生できるという効果が得られる。
【００２８】
また、上記実施の形態１によれば、メモリ６ａは、あらかじめ第２の操作手順をデフォルトの操作手順すなわちナビゲーション情報の再生手順に従うプログラムとして記憶しているので、操作に不慣れなユーザがキー操作をできない場合でも、自動的に映像を再生することができるという効果が得られる。
【００２９】
また、上記実施の形態１によれば、ナビゲーション制御部５は、映像再生制御部８から再生終了を示す状態情報ｇが入力されると、ユーザ操作管理部６に操作手順の要求情報ｄを与える。この結果、ユーザ操作管理部６は、映像の再生が静止状態の場合に第１の操作手順及び第２の操作手順を有効として出力するので、ナビゲーション制御部５は、映像の再生中においては再生制御動作に専念することができ、効率的な制御を行えるという効果が得られる。
【００３０】
実施の形態２.
図６は、この発明の実施の形態２における映像再生装置の自動キー操作処理のフローである。映像再生装置の構成、再生処理の基本動作、及び操作情報処理については、実施の形態１における図１のブロック図、図２のフロー、及び図３のフローと同じであるので説明は省略する。
【００３１】
次に動作について説明する。
ユーザ操作管理部６による自動キー操作処理は、図に示すように、有効なボタンの番号の中で一番小さい番号を選択及び決定する（ステップＳＴ４１）。すなわち、光ディスク２にタイトル１，２,３の３種類の映像が記録されていて、すべて再生可能である場合には、ユーザがスタートキー操作を行って一定時間が経過すると、自動的にメモリ６ａに記憶されているデフォルトの番号である「１」が選択及び決定され、タイトル１の映像が自動的に再生される。
【００３２】
以上のように、この実施の形態２によれば、メモリ６ａは、最初の映像を再生するという自動キー操作の第２の操作手順をデフォルトとして記憶しているので、取りあえず最初の映像から再生したいと望むユーザにとっては、スタートキー操作をするだけで、自動的に再生される映像を見ることができるという効果が得られる。
【００３３】
実施の形態３.
図７は、この発明の実施の形態３における映像再生装置の自動キー操作処理のフローである。映像再生装置の構成、再生処理の基本動作、及び操作情報処理については、実施の形態１における図１のブロック図、図２のフロー、及び図３のフローと同じであるので説明は省略する。
【００３４】
次に動作について説明する。
ユーザ操作管理部６による自動キー操作処理は、図７に示すように、メモリ６ａにプリセットされたボタン番号は有効なボタン番号か否かを判別し（ステップＳＴ５１）、有効である場合には、そのプリセットされたボタンの番号を選択及び決定する（ステップＳＴ５２）。有効でない場合には、デフォルトとしてメモリ６ａに記憶されているナビゲーション情報によって選択指定されたボタンの番号を選択及び決定する（ステップＳＴ５３）。
【００３５】
以上のように、この実施の形態３によれば、メモリ６ａは、ユーザのプリセット（設定操作）により自動キー操作である第２の操作手順を記憶するので、ユーザは自分の好みに応じた再生プログラムをメモリ６ａにプリセットすることができるという効果が得られる。また、プリセットされている第２の操作手順が有効でない場合には、実施の形態１と同様に、光ディスク２のナビゲーション情報に従って再生を行うので、ユーザの操作及びプリセットが無効である場合でも、再生が停止することがないという効果が得られる。
【００３６】
実施の形態４.
図８は、この発明の実施の形態４における映像再生装置の自動キー操作処理のフローである。映像再生装置の構成、再生処理の基本動作、及び操作情報処理については、実施の形態１における図１のブロック図、図２のフロー、及び図３のフローと同じであるので説明は省略する。
【００３７】
次に動作について説明する。
ユーザ操作管理部６による自動キー操作処理は、図８に示すように、メモリ６ａにプリセットされたボタン番号は有効なボタン番号か否かを判別し（ステップＳＴ６１）、有効である場合には、そのプリセットされたボタンの番号を選択及び決定する（ステップＳＴ６２）。有効でない場合には、デフォルトとしてメモリ６ａに記憶されているボタンの番号の中で一番小さい番号すなわち確実に有効な最初の映像の番号を選択及び決定する（ステップＳＴ６３）。
【００３８】
以上のように、この実施の形態４によれば、実施の形態３と同様に、メモリ６ａは、ユーザのプリセット（設定操作）により自動キー操作である第２の操作手順を記憶するので、ユーザは自分の好みに応じた再生プログラムをメモリ６ａにプリセットすることができるという効果が得られる。また、プリセットされている第２の操作手順が有効でない場合には、実施の形態２と同様に、最初の映像を再生するデフォルトの確実に有効な操作手順に従って再生を行うので、ユーザの操作及びプリセットが無効である場合でも、再生が停止することがないという効果が得られる。
【００３９】
実施の形態５.
図９は、この発明の実施の形態５における映像再生装置の自動キー操作処理のフローである。映像再生装置の構成、再生処理の基本動作、及び操作情報処理については、実施の形態１における図１のブロック図、図２のフロー、及び図３のフローと同じであるので説明は省略する。
【００４０】
次に動作について説明する。
ユーザ操作管理部６による自動キー操作処理は、図９に示すように、メモリ６ａに記憶されている有効なボタンの番号の数を検出する（ステップＳＴ７１）。そして、有効なボタン番号の中からランダムな番号を選択及び決定する（ステップＳＴ７２）。
【００４１】
以上のように、この実施の形態５によれば、ユーザ操作管理部６から出力された第２の操作手順に応じて、光ディスク２の複数種類の映像をランダムな順序で再生する読出指令ｉを読取部３に与えるので、何か作業をしながら映画を楽しみたいユーザ等にとっては、スタートキー操作をするだけで、長時間に亘って何らキー操作をすることなく映画を鑑賞できるという効果が得られる。
【００４２】
なお、上記実施の形態１乃至実施の形態５における複数の自動キー操作処理の中から１つの自動キー操作処理をユーザの設定操作によって選択及び変更できる構成にしてもよい。この場合には、極めて柔軟なシステムの映像再生装置を構築することができるという効果が得られる。
【００４３】
実施の形態６．
図１０は、この発明の実施の形態６における映像再生装置１の動作を示すメインルーチンのフローチャートである。映像再生装置の構成については、実施の形態１における図１のブロック図と同じであるので図１を援用して説明する。また、実施の形態６におけるサブルーチンのフローは、実施の形態１における図３及び図４のフローと同じであるので説明は省略する。
【００４４】
次に動作について説明する。
ナビゲーション制御部５は、ナビゲーション情報ｂを取得する（ステップＳＴ８１）。次に、取得したナビゲーション情報ｂから抽出した再生制御情報と、ユーザ操作管理部６からのユーザ操作情報ｅとを分離する（ステップＳＴ８２）。映像再生制御部８は、再生制御情報ｆに従って映像の再生を行い、映像信号を表示装置９に出力する（ステップＳＴ８３）。そして、ユーザ操作管理部６に図３に示した操作情報処理を実行させる（ステップＳＴ８３）。
【００４５】
次に、ユーザ操作管理部６から指定されたキー操作の発行があるか否かを判別する（ステップＳＴ８５）。すなわち、ユーザのキー操作があるか否かを判別する。指定されたキー操作の発行がない場合には、映像再生制御部８は再生終了か否かを判別する（ステップＳＴ８６）。再生終了でない場合には、ステップＳＴ８４に移行して操作情報処理を実行させる。再生終了の場合には、ユーザ操作管理部６からキー操作の発行があるか否かを判別する（ステップＳＴ８７）。すなわち、ユーザのキー操作である第１の操作手順又は自動キー操作である第２の操作手順が、ユーザ操作管理部６から出力されたか否かを判別する。いずれのキー操作の発行もない場合には、再生終了後の処理を実行する（ステップＳＴ８８）。
【００４６】
ステップＳＴ８５において指定されたキー操作の発行があったとき、すなわち、映像の再生中においてユーザのキー操作があったときは、そのキー操作に応じた処理を行う（ステップＳＴ８９）。また、ステップＳＴ８７においてキー操作の発行があったとき、すなわち、映像の再生が終了した後にユーザのキー操作又は自動キー操作があったときは、そのキー操作に応じた処理を行う（ステップＳＴ８９）。
【００４７】
以上のように、この実施の形態６によれば、ユーザ操作管理部６は、映像の再生中においては、ユーザのキー操作である第１の操作手順のみを有効として出力するので、ある映画を鑑賞中に他の映画に代えたいと望むユーザは、停止キー操作を行うことなく所望の映画を鑑賞できるという効果が得られる。また、自動キー操作である第２の操作手順については、映像の再生中においては無効にするので、誤動作のために鑑賞中の映画が中断するといったトラブルを防止するという効果が得られる。
【００４８】
【発明の効果】
以上のように、この発明によれば、映像再生装置を、記録媒体から映像および該映像の再生をガイドするナビゲーション情報を読み出す読出手段と、該読出手段に読出指令を与える指令制御手段と、映像が再生中か再生終了かを示す状態情報を指令制御手段に与える映像再生制御手段と、指令制御手段からの切換制御信号に応じて読取情報を指令制御手段または映像再生制御手段のいずれかに出力する切換手段と、映像を再生するための第１の操作手順を操作に応じて入力する操作手段と、映像を再生するための第２の操作手順を記憶している記憶手段と、操作手段及び記憶手段を管理し、操作手段から前記第１の操作手順が入力されたときは当該第１の操作手順を出力し、操作手段から前記第１の操作手順が入力されない場合には記憶手段に記憶されている第２の操作手順を読み出して出力する管理制御手段とを備え、指令制御手段は、ナビゲーション情報より抽出した再生制御情報に基づいて映像再生制御手段に映像が出力するように切換制御信号を切換手段に与え、映像再生制御手段は映像を再生し、状態情報が再生終了を示せば、指令制御手段は管理制御手段から出力された第１の操作手順又は第２の操作手順に応じた読出指令を読出手段に与えるように構成したので、ユーザの操作がない場合でも、自動的に映像を再生できるという効果がある。
【００４９】
この発明によれば、映像再生装置において、記憶手段を、あらかじめ第２の操作手順をデフォルトの操作手順として記憶しているように構成したので、取りあえず最初の映像から再生したいと望むユーザにとっては、スタートキー操作をするだけで、自動的に再生される映像を見ることができるという効果がある。
【００５０】
この発明によれば、映像再生装置において、記憶手段を、設定操作により第２の操作手順を記憶するように構成したので、ユーザは自分の好みに応じた再生プログラムをメモリ６ａにプリセットすることができるという効果が得られる。
【００５１】
この発明によれば、映像再生装置において、指令制御手段を、管理制御手段から出力された第２の操作手順に応じて記憶媒体の複数種類の映像をランダムな順序で再生する読出指令を読出手段に与えるように構成したので、何か作業をしながら映画を楽しみたいユーザ等にとっては、スタートキー操作をするだけで、長時間に亘って何らキー操作をすることなく映画を鑑賞できるという効果がある。
【００５２】
この発明によれば、映像再生装置において、指令制御手段を、管理制御手段から出力された第２の操作手順に応じて記憶媒体の複数種類の映像の中から特定の映像を再生する読出指令を読出手段に与えるように構成したので、取りあえず最初の映像から再生したいと望むユーザにとっては、スタートキー操作をするだけで、自動的に再生される映像を見ることができるという効果がある。
【００５３】
この発明によれば、映像再生装置において、管理制御手段を、映像の再生が静止状態の場合に第１の操作手順及び第２の操作手順を有効として出力するように構成したので、映像の再生中においては再生制御動作に専念することができ、効率的な制御を行えるという効果がある。
【００５４】
この発明によれば、映像再生装置において、管理制御手段を、映像の再生中においては第１の操作手順のみを有効として出力するように構成したので、ある映画を鑑賞中に他の映画に代えたいと望むユーザは、停止キー操作を行うことなく所望の映画を鑑賞できるという効果がある。また、自動キー操作である第２の操作手順については、映像の再生中においては無効にするので、誤動作のために鑑賞中の映画が中断するといったトラブルを防止するという効果がある。
【００５５】
この発明によれば、映像再生装置を、記録媒体から映像および該映像の再生をガイドするナビゲーション情報を読み出す読出手段と、該読出手段に読出指令を与える指令制御手段と、映像が再生中か再生終了かを示す状態情報を指令制御手段に与える映像再生制御手段と、指令制御手段からの切換制御信号に応じて読取情報を指令制御手段または映像再生制御手段のいずれかに出力する切換手段と、映像を再生するための第１の操作手順を操作に応じて入力する操作手段と、映像を再生するためのデフォルトの操作手順を記憶しているとともに、設定操作に応じて第２の操作手順を記憶可能な記憶手段と、操作手段及び記憶手段を管理し、操作手段から入力された第１の操作手順又は記憶手段から読み出した第２の操作手順が記録媒体に対して有効でない場合には、記憶手段に記憶されているデフォルトの操作手順を読み出して出力する管理制御手段とを備え、指令制御手段は、ナビゲーション情報より抽出した再生制御情報に基づいて映像再生制御手段に映像が出力するように切換制御信号を切換手段に与え、映像再生制御手段は映像を再生し、状態情報が再生終了を示せば、指令制御手段は管理制御手段から出力されたいずれかの操作手順に応じた読出指令を読出手段に与えるように構成したので、ユーザの操作及びプリセットが無効である場合でも、再生が停止することがないという効果が得られる。
【図面の簡単な説明】
【図１】  この発明の実施の形態１における映像再生装置を適用したシステムの構成を示すブロック図である。
【図２】  この発明の実施の形態１におけるメインルーチンのフローチャートである。
【図３】  この発明の実施の形態１における操作情報処理のフローチャートである。
【図４】  この発明の実施の形態１における自動キー操作処理のフローチャートである。
【図５】  この発明の実施の形態１における映像再生装置の光ディスク再生の操作手順示す図である。
【図６】  この発明の実施の形態２における自動キー操作処理のフローチャートである。
【図７】  この発明の実施の形態３における自動キー操作処理のフローチャートである。
【図８】  この発明の実施の形態４における自動キー操作処理のフローチャートである。
【図９】  この発明の実施の形態５における自動キー操作処理のフローチャートである。
【図１０】  この発明の実施の形態６におけるメインルーチンのフローチャートである。
【図１１】  従来の映像再生装置における光ディスク再生の操作手順を示す図である。
【符号の説明】
１  映像再生装置、２  光ディスク（記録媒体）、３  読取部（読出手段）、４  切換器、５  ナビゲーション制御部（指令制御手段）、６  ユーザ操作管理部（管理制御手段）、６ａ  メモリ（記憶手段）、７  操作部（操作手段）、８映像再生制御部、９  表示装置。
【図１】
0004306929.tif 000002
【図２】
0004306929.tif 000003
【図３】
0004306929.tif 000004
【図４】
0004306929.tif 000005
【図５】
0004306929.tif 000006
【図６】
0004306929.tif 000007
【図７】
0004306929.tif 000008
【図８】
0004306929.tif 000009
【図９】
0004306929.tif 000010
【図１０】
0004306929.tif 000011
【図１１】
0004306929.tif 000012